(57)【要約】【課題】装着時において不測の歪みを生じる虞をなくし得て、矯正すべき歯牙に対して目的位置に向かう適切な圧力を与えることができ、而して、矯正すべき歯牙を目的位置に効率よく移動させることができる歯列矯正具を提供すること。【解決手段】歯列矯正具１は、上顎側の歯列２に着脱自在となるように当該歯列２に沿って伸びていると共に、矯正すべき歯牙３の形状に対応する形状を有した部位４が、当該歯牙３が矯正後に配されるべき目的位置に対応する位置に配されている矯正具本体５と、口腔に沿って伸びていると共に矯正具本体５の形状を保持すべく矯正具本体５に固着されている形状保持部材６とを具備している。【選択図】図１
2010240030.tif 000002
【特許請求の範囲】
【請求項１】
歯列に着脱自在となるように当該歯列に沿って伸びていると共に、矯正すべき歯牙の形状に対応する形状を有した部位が、当該歯牙が矯正後に配されるべき目的位置に対応する位置に配されている矯正具本体と、口腔に沿って伸びていると共に矯正具本体の形状を保持すべく矯正具本体に固着されている形状保持部材とを具備している歯列矯正具。
【請求項２】
矯正具本体は、一体成形されたＵ字形状のマウスピースからなる請求項１に記載の歯列矯正具。
【請求項３】
形状保持部材は、マウスピースの両端又はその近傍を橋絡している請求項２に記載の歯列矯正具。
【請求項４】
形状保持部材は、歯列に沿って伸びていると共にマウスピースの内側の部位及び外側の部位のうちの少なくとも一方の部位に固着されている請求項２又は３に記載の歯列矯正具。
【請求項５】
形状保持部材は、マウスピースに沿う方向において間隔をもってマウスピースの内側の部位及び外側の部位のうちの少なくとも一方の部位に固着されている請求項４に記載の歯列矯正具。
【発明の詳細な説明】
【技術分野】
【０００１】
本発明は、歯牙に付勢力を付与して歯列を矯正する歯列矯正具に関する。
【背景技術】
【０００２】
例えば特許文献１及び２においては、歯列に沿って伸びて形成された歯列矯正用のマウスピースが提案されている。このようなマウスピースでは、矯正すべき歯牙の形状に対応する形状を有したマウスピースの部位は、矯正すべき歯牙に対して予め定めた目的位置に向かう圧力を与えることができるように、当該歯牙が矯正後に配されるべき目的位置に対応する位置に配されて形成されている。
【先行技術文献】
【特許文献】
【０００３】
【特許文献１】特開２００３−３１９９４８号公報
【特許文献２】特開２００５−３４９０４６号公報
【発明の概要】
【発明が解決しようとする課題】
【０００４】
ところで、斯かるマウスピースでは、顎が発生や咀嚼などにおいて多種多様に運動することや度重なる着脱のために、当該マウスピースに捩れ等の不測の歪みが生じる虞があり、斯かる歪みが生じた場合には、矯正すべき歯牙に対して予め定めた目的位置に向かう適切な圧力を与えることが困難となる。
【０００５】
本発明は、前記諸点に鑑みてなされたものであって、その目的とするところは、装着時において不測の歪みを生じる虞をなくし得て、矯正すべき歯牙に対して目的位置に向かう適切な圧力を与えることができ、而して、矯正すべき歯牙を目的位置に効率よく移動させることができる歯列矯正具を提供することにある。
【課題を解決するための手段】
【０００６】
本発明の歯列矯正具は、歯列に着脱自在となるように当該歯列に沿って伸びていると共に、矯正すべき歯牙の形状に対応する形状を有した部位が、当該歯牙が矯正後に配されるべき目的位置に対応する位置に配されている矯正具本体と、口腔に沿って伸びていると共に矯正具本体の形状を保持すべく矯正具本体に固着されている形状保持部材とを具備している。
【０００７】
本発明の歯列矯正具によれば、特に、口腔に沿って伸びていると共に矯正具本体の形状を保持すべく矯正具本体に固着されている形状保持部材を具備しているために、装着時において不測の歪みを生じる虞をなくし得て、矯正すべき歯牙に対して目的位置に向かう適切な圧力を与えることができ、而して、矯正すべき歯牙を目的位置に効率よく移動させることができる。
【０００８】
矯正具本体は、一体成形されたＵ字形状のマウスピースからなっていてもよい。
【０００９】
形状保持部材は、マウスピースの両端又はその近傍を橋絡していてもよい。この形状保持部材を具備した歯列矯正具によれば、Ｕ字形状であるマウスピースの両端又はその近傍が互いに変位しないように当該マウスピースの歪みに抗する力を生じることができる。また、歯列矯正具は、前記形状保持部材に代えて又は加えて、歯列に沿って伸びていると共にマウスピースの内側（舌側）の部位及び外側（頬側）の部位のうちの少なくとも一方の部位に固着されている形状保持部材を具備していてもよい。
【００１０】
形状保持部材は、マウスピースに沿う方向において間隔をもってマウスピースの内側の部位及び外側の部位のうちの少なくとも一方の部位に固着されていてもよく、斯かる形状保持部材によれば、マウスピースの微少な撓みを許容する一方、形状保持部材によりマウスピースの許容量以上の撓みを禁止することができ、而して、装着者にマウスピースの異物感を与える虞を低減すると共に矯正すべき歯牙を目的位置に効率よく移動させることができる。
【発明の効果】
【００１１】
本発明によれば、装着時において不測の歪みを生じる虞をなくし得て、矯正すべき歯牙に対して目的位置に向かう適切な圧力を与えることができ、而して、矯正すべき歯牙を目的位置に効率よく移動させることができる歯列矯正具を提供し得る。
【図面の簡単な説明】
【００１２】
【図１】本発明の好ましい例の斜視説明図である。
【図２】図１に示す例の下顎側からみた一部断面説明図である。
【図３】図１に示す例の口蓋側からみた一部断面説明図である。
【図４】本発明の好ましい他の例の上顎側からみた簡略説明図である。
【図５】本発明の好ましい他の例の上顎側からみた簡略説明図である。
【図６】本発明の好ましい他の例の上顎側からみた簡略説明図である。
【発明を実施するための形態】
【００１３】
次に、本発明を実施するための形態を、図に示す好ましい例に基づいて更に詳細に説明する。なお、本発明はこれら例に何等限定されないのである。
【実施例】
【００１４】
図１から図３において、本例の歯列矯正具１は、上顎側の歯列２に着脱自在となるように当該歯列２に沿って伸びていると共に、矯正すべき歯牙３の形状に対応する形状を有した部位４が、当該歯牙３が矯正後に配されるべき目的位置に対応する位置に配されている矯正具本体５と、口腔に沿って伸びていると共に矯正具本体５の形状を保持すべく矯正具本体５に固着されている形状保持部材６とを具備している。
【００１５】
矯正具本体５は、一体成形されたＵ字形状のマウスピース１１からなる。マウスピース１１は、本例では上顎側の歯列２に装着されるものであるために、当該上顎側の歯列２に対応する形状を有しているが、例えば、マウスピース１１が下顎側の歯列に装着されるものである場合には、当該マウスピース１１は下顎側の歯列に対応する形状を有するものを採用することとなる。
【００１６】
マウスピース１１は、上顎側の歯列２から予め型取りされた歯形の形状に基づいて形成されている。マウスピース１１は、歯列２に沿ってＵ字形状に形成された弾性を有した本体１２と、歯列２に当接する本体１２の部位に形成されている凹状内面１３とを具備している。マウスピース１１は、歯列２に対する着脱が行える程度の可撓性を有している。
【００１７】
本体１２は、透光性を有したセルロースアセトブチレート等の合成樹脂からなり、０．８ｍｍから２ｍｍ程度の肉厚を有している。凹状内面１３は、当該歯列２における歯面形状に対して相補的な形状を有しており、歯列２への装着時において当該歯列２に密着して当該歯列２の全体を覆うようになっている。
【００１８】
矯正すべき歯牙３は歯列２を構成する歯牙３のうちのいずれであってもよい。部位４は、矯正すべき歯牙３が一本である場合には一つであり、矯正すべき歯牙３が複数本である場合には複数となる。斯かる部位４は、凹状内面１３に形成されており、矯正すべき歯牙３が矯正後に配されるべき目的位置に対応する位置に配されている。
【００１９】
形状保持部材６は、本例では、金属製であり、一端が一方の頬側の大臼歯１５に対応する形状を有したマウスピース１１の舌側の部位１６に、他端が他方の頬側の大臼歯１７に対応する形状を有したマウスピース１１の舌側の部位１８に夫々固着されたワイヤ等からなる棒状本体１９と、棒状本体１９の中央に形成された湾曲部２０とを具備している。
【００２０】
棒状本体１９は、マウスピース１１の装着に際して硬口蓋に沿って配されるように上に向かって凸状に湾曲していると共に一方の頬側から他方の頬側に向かって伸びている。棒状本体１９の両端には部位１６及び１８の夫々に接着又は埋設されている膨大部が夫々形成されている。棒状本体１９は口唇側からみて半円形状に形成されているが、マウスピース１１の装着者の硬口蓋に沿って湾曲されて形成されるのが好ましい。
【００２１】
湾曲部２０は、本例では半円状であり、マウスピース１１の装着に際して口蓋縫線又はその近傍に配されるように棒状本体１９に配設されている。湾曲部２０は、棒状本体１９に対して口唇側に突出している。本例の湾曲部２０は、棒状本体１９の一部が湾曲されることによって形成されている。湾曲部２０は口腔に当接することで棒状本体１９に対してその位置を保持する保持力、特に軟口蓋から口唇に向かう方向に関する保持力を与え得る。
【００２２】
斯かる形状保持部材６は、Ｕ字形状のマウスピース１１の両端近傍の部位１６及び１８が互いに変位しないように当該部位１６及び１８を橋絡してこれら相互の位置を保持している。換言すれば、形状保持部材６は、マウスピース１１の歪みに抗する力を生じるようにマウスピース１１に固着されている。
【００２３】
形状保持部材６は、本例では金属製であるが、例えば合成樹脂製、硬質プラスチック製であってもよく、マウスピース１１に対して硬質であってもよく、透光性を有していてもよく、また、形状保持部材６は、本例では棒状であるが、例えば帯状であってもよい。
【００２４】
本例の歯列矯正具１は、形状保持部材６に代えて又は加えて、例えば図４から図６の夫々に示すように、歯列２に沿ってＵ字形状に伸びていると共に矯正具本体５の形状を保持すべくマウスピース１１の舌側の部位３１に固着された形状保持部材５１及び歯列２に沿ってＵ字形状に伸びていると共に矯正具本体５の形状を保持すべくマウスピース１１の頬側の部位３２に固着されている形状保持部材５２のうちの少なくとも一方を具備していてもよい。斯かる場合には、マウスピース１１には、形状保持部材５１又は５２が配されるように歯列２に沿って伸びた溝が形成されていてもよい。尚、図４から図６においては、歯列矯正具１を簡略に示している。
【００２５】
図４に示す形状保持部材５１は、本例では、金属製の棒状又は帯状のワイヤ等からなる。形状保持部材５１は、マウスピース１１に沿ってＵ字形状に伸びていると共にマウスピース１１に沿う方向において所定の間隔をもってマウスピース１１の舌側の部位３１に固着されており、本例では、一端が一方の頬側の大臼歯１５に対応する形状を有したマウスピース１１の舌側の部位１６に固着されており、他端が他方の頬側の大臼歯１７に対応する形状を有したマウスピース１１の舌側の部位１８に固着されており、そして、マウスピース１１の伸びる方向において一端と他端との間に位置する中央部が前歯１４に対応する形状を有したマウスピース１１の舌側の部位２５に固着されている。形状保持部材５１はマウスピース１１に対して硬質である。形状保持部材５１は、マウスピース１１の歯肉を覆う部位に配されているが、例えばマウスピース１１の歯牙３を覆う部位に配されていてもよい。尚、形状保持部材５１は、マウスピース１１の歯牙３と歯肉との境界を覆う部位に沿うように湾曲して波形状に形成されていてもよい。また、形状保持部材５１は、本例では所定の間隔をもってマウスピース１１に固着されているが、例えばその全体がマウスピース１１に埋設等により固着されていてもよい。
【００２６】
また、歯列矯正具１が形状保持部材６及び５１を具備している場合には、例えば図５に示すように、形状保持部材６の一端が形状保持部材５１の一端に一体的に連結されていると共に形状保持部材６の他端が形状保持部材５１の他端に一体的に連結されて、一つの形状保持部材が形成されていてもよい。
【００２７】
図６に示す形状保持部材５２は、本例では、金属製の棒状又は帯状のワイヤ等からなる。形状保持部材５２は、マウスピース１１に沿ってＵ字形状に伸びていると共にマウスピース１１に沿う方向において所定の間隔をもってマウスピース１１の頬側の部位３２に固着されており、本例では、一端が一方の頬側の大臼歯１５に対応する形状を有したマウスピース１１の頬側の部位２６に固着されており、他端が他方の頬側の大臼歯１７に対応する形状を有したマウスピース１１の頬側の部位２７に固着されており、そして、マウスピース１１の伸びる方向において一端と他端との間に位置する中央部が前歯１４に対応する形状を有したマウスピース１１の頬側（口唇側）の部位２８に固着されている。形状保持部材５２はマウスピース１１に対して硬質である。形状保持部材５２は、マウスピース１１の歯肉を覆う部位に配されているが、例えばマウスピース１１の歯牙３と歯肉との境界を覆う部位に沿うように湾曲して波形状に形成されていてもよい。また、形状保持部材５２は、本例では所定の間隔をもってマウスピース１１に固着されているが、例えばその全体がマウスピース１１に埋設等により固着されていてもよい。
【００２８】
以上の歯列矯正具１が上顎側の歯列２に装着された場合には、凹状内面１３の部位４が矯正すべき歯牙３に圧接することにより、当該歯牙３に対して予め定めた目的位置に向かう適切な圧力が与えられる。ところで、仮にマウスピース１１に歪みが生じると、部位４の矯正すべき歯牙３に対する当接角が変化してしまい、矯正すべき歯牙３に対する目的位置に向かう圧力が分散する結果、適切な圧力を矯正すべき歯牙３に与え得なくなる。しかしながら、本例の歯列矯正具１は、上述のようなマウスピース１１の歪みを形状保持部材６によって生じさせないように形成されているので、矯正すべき歯牙３に対して適切な圧力を与え続けることができ、而して、歯列矯正の効率化を図り得る。
【００２９】
本例の歯列矯正具１によれば、歯列２に着脱自在となるように当該歯列２に沿って伸びていると共に、矯正すべき歯牙３の形状に対応する形状を有した部位４が、当該歯牙３が矯正後に配されるべき目的位置に対応する位置に配されている矯正具本体５と、口腔に沿って伸びていると共に矯正具本体５の形状を保持すべく矯正具本体５に固着されている形状保持部材６とを具備しているために、装着時において不測の歪みを生じる虞をなくし得て、矯正すべき歯牙３に対して目的位置に向かう適切な圧力を与えることができ、而して、矯正すべき歯牙３を目的位置に効率よく移動させることができる。
【００３０】
歯列矯正具１によれば、形状保持部材６は、マウスピース１１の両端又はその近傍を橋絡しているために、Ｕ字形状であるマウスピース１１の両端又はその近傍が互いに変位しないように当該マウスピース１１の歪みに抗する力を生じることができる。
【００３１】
歯列矯正具１によれば、形状保持部材５１が、マウスピース１１に沿う方向において間隔をもってマウスピース１１の内側の部位３１に固着されているために、マウスピース１１の微少な撓みを許容する一方、形状保持部材５１によりマウスピース１１の許容量以上の撓みを、例えばマウスピース１１の弾性力よりも大きな弾性力をもって禁止することができ、而して、装着者にマウスピース１１の異物感を与える虞を低減すると共に矯正すべき歯牙３を目的位置に効率よく移動させることができる。また、歯列矯正具１によれば、形状保持部材５２が、マウスピース１１に沿う方向において間隔をもってマウスピース１１の外側の部位３２に固着されているために、前記同様の効果を奏し得る。
【符号の説明】
【００３２】
１  歯列矯正具
２  歯列
３  歯牙
４、１６、１８、２５、２６、２７、２８、３１、３２  部位
５  矯正具本体
６、５１、５２  形状保持部材
【図１】
2010240030.tif 000003
【図２】
2010240030.tif 000004
【図３】
2010240030.tif 000005
【図４】
2010240030.tif 000006
【図５】
2010240030.tif 000007
【図６】
2010240030.tif 000008